(57)【要約】【課題】簡易に設置することが可能であって、低コストで、必要な場所に効率よく散水することができる散水用具を提供する。【解決手段】散水用具１の導水管４を所定の間隔で散水孔５を有する複数本のチューブ４ａ〜４ｃから構成し、導水管４を自在に変形することが可能であって、導水管４全体から散水が行われることとした。散水用具１を用いて庭木や花壇、家庭菜園等への散水を行なう場合には、植えられた植物に沿って導水管４を設置することにより、必要な場所に効率良く散水を行なうことができる。また、簡易な構成からなっているため軽量であり、任意の場所に容易に設置することができる。【選択図】図２
0003130411.tif 000002
【実用新案登録請求の範囲】
【請求項１】
複数本のチューブから構成される導水管と、
前記導水管の一端に備えられ、水道管に接続される入水部と、
前記導水管の他端に備えられた止水部と、を有し、
前記チューブは所定の間隔で散水孔を有することを特徴とする散水用具。
【請求項２】
前記導水管は、前記複数本のチューブが帯状に並列に配置され、前記散水孔をその片面にのみ有することを特徴とする請求項１記載の散水用具。
【請求項３】
前記導水管は、３本のチューブから構成されることを特徴とする請求項１または請求項２に記載の散水用具。
【考案の詳細な説明】
【技術分野】
【０００１】
本考案は、簡易に設置することができ、効率の良い散水を行なうことができる散水用具に関する。
【背景技術】
【０００２】
従来、庭木や花壇、家庭菜園等で植えられた植物に水遣りを行う際には、水道にホースをつなぎ、その先端に散水ノズルを取り付けて水遣りを行う方法が多く用いられている。しかし、この方法では、それぞれの植物に1本づつ散水を行なう必要があり、広範囲への水遣りを行う場合には多くの時間と労力を要するものであった。
【０００３】
広範囲への水遣りを行うものとしては、庭園に設置されたスプリンクラーを用いる方法や、散水車を用いる方法等が用いられる。しかし、固定式のスプリンクラーは設置した場所でしか使用することができず、広範囲にムラなく散水を行なうことはできなかった。また、散水車は、散水車が通行することができる場所でしか散水を行なうことができず、使用できる場所が限られてしまっていた。さらに、どちらの方法も高価な装置を用いなければならず、一般家庭における使用には不向きであった。
【０００４】
そこで、一般家庭でのガーデニングにおいて安価に散水を行なう方法として、水道栓につないだ分配器に穴を開けた散水チューブをつなぎ、その穴にミニスプリンクラー等の散水器具を取り付けて散水する方法が開示されている（特許文献１参照）。この方法によれば、上記のような高価な装置を用いることなく散水を行なうことができ、ガーデニングのレイアウト変更にも対応可能である。
【０００５】
【特許文献１】特開２００３−１１１５２７号公報
【考案の開示】
【考案が解決しようとする課題】
【０００６】
しかしながら、特許文献１に開示された方法は、固定式のスプリンクラーや散水車よりは安価であるものの、散水チューブに開いた穴のそれぞれに散水器具を取り付けるものであるため、相応のコストがかかる。また、植物のレイアウト位置に合わせて散水器具を取り付けるため、散水器具が取り付けられた状態での散水は簡易に行えるが、異なったレイアウトのガーデニングで用いる際にはそのたびに散水器具の取り付け位置を変更しなければならない。散水チューブへの散水器具の取り付け自体は時間と手間を要するものであるため、どのようなレイアウトにも簡易に対応可能であるとは言い難いものであった。
【０００７】
本考案は、このような点に鑑みてなされたものであり、その目的は、どのようなレイアウトで植えられた植物であっても簡易に設置することが可能であって、低コストで、必要な場所に効率よく散水することができる散水用具を提供することにある。
【課題を解決するための手段】
【０００８】
以上のような課題を解決するために、本考案は、以下のものを提供する。
【０００９】
（１）  複数本のチューブから構成される導水管と、前記導水管の一端に備えられ、水道管に接続される入水部と、前記導水管の他端に備えられた止水部と、を有し、前記チューブは所定の間隔で散水孔を有することを特徴とする散水用具。
【００１０】
本考案によれば、複数本のチューブから構成される導水管と、導水管の一端に備えられ、水道管に接続される入水部と、導水管の他端に備えられた止水部と、を有し、チューブは所定の間隔で散水孔を有することとしたから、植物のレイアウトに合わせて簡易に設置することができ、低コストで、必要な場所に効率の良い散水を行なうことができる。
【００１１】
すなわち、本考案に係る散水用具の導水管は所定の間隔で散水孔を有する複数本のチューブから構成されていることから、導水管を自在に変形することが可能であって、その導水管全体から散水が行われるため、散水が必要な場所に効率良く散水を行なうことができる。例えば、庭木や花壇、家庭菜園等では、植えられた植物に沿って導水管を設置し、その植物の周辺に散水することもできるし、芝生等では、導水管を全体に広げて設置することにより、広範囲にムラなく散水を行なうこともできる。
【００１２】
また、用具全体が簡易な構成からなっているため軽量であり、水道管への接続のみで使用可能であるので、任意の場所に容易に設置することができる。さらに、散水に複雑で高価な装置を必要としないため、低コスト化を図ることができる。
【００１３】
（２）  前記導水管は、前記複数本のチューブが帯状に並列に配置され、前記散水孔をその片面にのみ有することを特徴とする散水用具。
【００１４】
本考案によれば、導水管は、複数本のチューブが帯状に並列に配置され、散水孔をその片面にのみ有することとしたから、用途によってより効率の良い散水を行なうことができる。例えば、通常は散水孔を有する面を上向きに設置することにより、広い範囲へムラのない散水を行ない、植物の根元を中心に散水を行なう場合には、導水管を植物の根元に沿わせて、散水孔を有する面を下向きに設置することにより、植物の根元に集中的に散水を行なうことができる。
【００１５】
（３）  前記導水管は、３本のチューブから構成されることを特徴とする散水用具。
【００１６】
本考案によれば、導水管は、３本のチューブから構成されることとしたから、それぞれのチューブに設けられた散水孔から、三方向に一斉に散水が行われることにより、ムラのない散水を行なうことができる。
【考案の効果】
【００１７】
以上説明したように、本考案は、所定の間隔で散水孔が設けられた複数本のチューブで構成される導水管を有する散水用具により、植物のレイアウトに合わせて簡易に設置することができ、低コストで、必要な場所に効率の良い散水を行なうことができる。
【考案を実施するための最良の形態】
【００１８】
以下、本考案を実施するための最良の形態について、図面に基づいて説明する。
【００１９】
［外観構成］
図１は、本考案の実施の形態に係る散水用具１の全体図であり、図２は、本考案の実施の形態に係る散水用具１の部分拡大図である。ここで、図２は本考案の実施の形態に係る散水用具１を水道管１１に接続した状態を示しており、図２（ａ）は入水部２の拡大図、図２（ｂ）は止水部３の拡大図、図２（ｃ）は導水管４を図２（ｂ）のＡ−Ａ'断面で切り出した状態を示す模式図である。
【００２０】
図１及び図２において、本考案の実施の形態に係る散水用具１は、主に入水部２と、止水部３と、導水管４と、から構成されている。
【００２１】
入水部２は、導水管４の一端に備えられており、水道管１１から導水管４へ水道水を供給する供給路となっている。入水部２の先端には入水口２ａが設けられており、入水口２ａは、接続器具１２によって水道管１１と接続されている（図２（ａ）参照）。
【００２２】
止水部３は、導水管４の他端に備えられており、導水管４内を流れてきた水道水を止水する（図２（ｂ）参照）。
【００２３】
導水管４は、３本のチューブ４ａ、４ｂ、４ｃが帯状に並列に配置された構成となっており（図２（ｃ）参照）、一端に入水部２を、他端に止水部３を備えている。３本のチューブ４ａ、４ｂ、４ｃは、それぞれ内部に水道水を送るための導水路６ａ、６ｂ、６ｃを有している。
【００２４】
散水孔５ａは、チューブ４ａの側面に、所定の間隔で設けられている。散水孔５ｂはチューブ４ｂの側面に、散水孔５ｃはチューブ４ｃの側面に、それぞれ所定の間隔で設けられ、全ての散水孔は帯状の導水管４の片面にのみ配置されている（図２（ｃ）参照）。散水孔５ａ、５ｂ、５ｃを、それぞれのチューブ４ａ、４ｂ、４ｃにバランス良く配置することにより、散水方向を３方向に分散させ、ムラなく、効率の良い散水を行なうことができる。
【００２５】
なお、導水管４の素材には、樹脂やシリコン等、自在に変形が可能な素材であれば、どのようなものを用いてもかまわない。
【００２６】
［使用方法］
本考案の実施の形態に係る散水用具１の使用方法について説明する。
【００２７】
図３は、本考案の実施の形態に係る散水用具１を花壇に使用した様子を示す図である。
【００２８】
本考案の実施の形態に係る散水用具１を使用する際には、まず、散水用具１の入水部２を、接続器具１２を用いて水道管１１に接続する（図２参照）。
【００２９】
次いで、導水管４を散水が必要な場所に配置する。例えば、図３に示すような花壇に使用する場合であれば、花壇の周囲を囲うように導水管４を設置する。このとき、散水孔５を有する面が上に来るように設置する。
【００３０】
次いで、水道管１１の蛇口をひねり、水道水を放出させる。入水部２を経て導水管４に送られた水道水は、止水部３でせき止められ、散水孔５から散水が行われる（図３参照）。
【００３１】
図４は、本考案の実施の形態に係る散水用具１を、家庭菜園に使用した様子を示す図である。
【００３２】
散水用具１を図４に示すような家庭菜園に使用する場合には、作物の列に沿って図４に示すように散水用具１を設置し、散水を行なうことによって、広範囲の作物に均等に散水を行なうことができる。
【００３３】
図５は、本考案の実施の形態に係る散水用具１を植木に使用した様子を示す図である。
【００３４】
散水用具１を街路樹のような植木に使用する場合には、植木の根元に沿うように散水用具１を設置して、散水を行なう（図５参照）。植木の根元付近にのみ散水されることにより、無駄な散水を減らし、効率の良い散水を行なうことができる。
【００３５】
図６は、本考案の実施の形態に係る散水用具１を植木に使用した他の例を示す図である。
【００３６】
散水用具１を図６に示すような、高さのない植木に使用する場合には、散水用具１を植木の根元に沿わせ、散水孔５を有する面を下向きに設置することにより、植物の根元に集中的に散水を行なうことができる。
【００３７】
以上説明したように、本実施形態に係る散水用具によれば、導水管を自在に変形することができ、その導水管全体から散水が行われるので、散水が必要な場所に効率よく散水を行なうことができる。また、用具全体が軽量であり、水道管への接続のみで使用できるので、任意の場所に容易に設置することができる。さらに、散水孔を、帯状の導水管の片面にのみ有するので、用途によってより効率の良い散水を行なうことができる。
【産業上の利用可能性】
【００３８】
本考案に係る散水用具は、簡易に設置することが可能であって、低コストで、必要な場所に効率よく散水することができるものとして有用である。
【図面の簡単な説明】
【００３９】
【図１】本考案の実施の形態に係る散水用具の全体図である。
【図２】本考案の実施の形態に係る散水用具の部分拡大図である。
【図３】本考案の実施の形態に係る散水用具を花壇に使用した様子を示す図である。
【図４】本考案の実施の形態に係る散水用具を家庭菜園に使用した様子を示す図である。
【図５】本考案の実施の形態に係る散水用具を植木に使用した様子を示す図である。
【図６】本考案の実施の形態に係る散水用具１を植木に使用した他の例を示す図である。
【符号の説明】
【００４０】
１  散水用具
２  入水部
３  止水部
４  導水管
５  散水孔
６  導水孔
１１  水道管
１２  接続器具
【図１】
0003130411.tif 000003
【図２】
0003130411.tif 000004
【図３】
0003130411.tif 000005
【図４】
0003130411.tif 000006
【図５】
0003130411.tif 000007
【図６】
0003130411.tif 000008